(57)【要約】【課題】用途に応じてその形態を容易に変化させることができるだけでなく、設置個所の選択自由度に優れたフェンスを提供する。【解決手段】フェンス１００を、空間を仕切るためのフェンス本体１１０と、フェンス本体１１０を安定して立たせるための脚台１２０とを備えたものとして、脚台１２０に対するフェンス本体１１０の固定位置を前後方向で調節できるようにした。脚台１２０を上側から押さえるための上側板状部と脚台１２０を下側から押さえるための下側板状部とを有する断面略コの字形状の挟持部１１１をフェンス本体１１０の下端部に設け、上側板状部又は下側板状部を嵌め込むための嵌込溝を脚台１２０の前後方向に亘る複数箇所に設けるとより好ましい。【選択図】図１
2007177519.tif 000002
【特許請求の範囲】
【請求項１】
空間を仕切るためのフェンス本体と、フェンス本体を安定して立たせるための脚台とを備えたフェンスであって、脚台に対するフェンス本体の固定位置を前後方向で調節できるようにしたことを特徴とするフェンス。
【請求項２】
脚台を上側から押さえるための上側板状部と脚台を下側から押さえるための下側板状部とを有する断面略コの字形状の挟持部をフェンス本体の下端部に設け、上側板状部又は下側板状部を嵌め込むための嵌込溝を脚台の前後方向に亘る複数箇所に設けた請求項１記載のフェンス。
【請求項３】
フェンス本体を複数枚備えた請求項１又は２記載のフェンス。
【発明の詳細な説明】
【技術分野】
【０００１】
本発明は、空間を仕切るために用いられるフェンスに関する。特に、立入制限場所の区画や、車や人の列の整理や、テニスコートの分離などに好適に用いることのできる仮設用のフェンスに関する。
【背景技術】
【０００２】
従来より、仮設用のフェンスとしては、フェンス本体をその背面に取り付けられた支柱によって支えるもの（例えば、特許文献１を参照。）や、フェンス本体をその下端に設けた脚台によって支えるもの（例えば、特許文献２を参照。）などが知られている。これらの仮設用のフェンスは、フェンス本体を１枚備えたものが一般的であるが、なかには、フェンス本体を２枚備えて防護性能を高めたものもある。
【０００３】
これらの仮設用のフェンスは、持ち運びしやすいだけでなく、設置も容易であるために、イベント会場や工事現場などで重宝されているが、用途に応じて、フェンス本体が１枚のものと、フェンス本体が２枚のものとを別途用意する必要があるなど、コストパフォーマンスに優れたものとはなっていなかった。また、これらの仮設用のフェンスは、その支柱や脚台が邪魔になり、フェンス本体を縦壁の近くに配することができないなど、設置個所の選択自由度に優れたものとはなっていなかった。
【０００４】
【特許文献１】実用新案登録第３０８５４７０号公報
【特許文献２】特開２０００−１２９９６３号公報
【発明の開示】
【発明が解決しようとする課題】
【０００５】
本発明は、上記課題を解決するためになされたものであり、フェンス本体の枚数を追加することができるなど、用途に応じてその形態を容易に変化させることのできるフェンスを提供することを目的とする。また、フェンス本体を縦壁の近くに配することもできるなど、設置個所の選択自由度に優れたフェンスを提供することも本発明の目的である。
【課題を解決するための手段】
【０００６】
上記課題は、空間を仕切るためのフェンス本体と、フェンス本体を安定して立たせるための脚台とを備えたフェンスであって、脚台に対するフェンス本体の固定位置を前後方向で調節できるようにしたことを特徴とするフェンスを提供することによって解決される。
【０００７】
これにより、障害物のない場所にフェンスを設置する場合には、フェンス本体を脚台における前後方向中間部に固定し、縦壁などの障害物の近くにフェンスを設置する場合には、フェンス本体を脚台の前後方向端部に固定するなど、フェンスを設置する場所の状況に応じて、脚台に対するフェンス本体の固定位置を調節することが可能になる。
【０００８】
このとき、脚台を上側から押さえるための上側板状部と脚台を下側から押さえるための下側板状部とを有する断面略コの字形状の挟持部をフェンス本体の下端部に設け、上側板状部又は下側板状部を嵌め込むための嵌込溝を脚台の前後方向に亘る複数箇所に設けると好ましい。
【０００９】
これにより、脚台に対するフェンス本体の固定位置を段階的に調節できるだけでなく、フェンス本体を上側に持ち上げた際に脚台がフェンス本体から脱落しないようにすることも可能になる。したがって、フェンスの設置をさらに容易に行えるようになる。また、脚台に対するフェンス本体の着脱を容易に行うことができるので、フェンスの収納が容易になるだけでなく、フェンス本体の枚数を追加するなどの変更も容易に行うことができるようになる。
【００１０】
また、嵌込溝を設ける前後ピッチを１〜３０ｃｍに設定することも好ましい。さらに、脚台の前後長さを２０〜２００ｃｍに設定することも好ましい。これらの構成を採用することによって、フェンスを仮設用のフェンスとしてより好適なものとすることができる。
【００１１】
さらにまた、フェンス本体を複数枚備えることも好ましい。これにより、フェンスの前面側の空間と背面側の空間とを所定間隔を隔てて仕切ることが可能になり、フェンスの防護性能を高めることができる。
【発明の効果】
【００１２】
以上のように、本発明によって、フェンス本体を縦壁の近くに配することもでき、設置個所の選択自由度に優れたフェンスを提供することが可能になる。
【発明を実施するための最良の形態】
【００１３】
以下、本発明のフェンスの好適な実施態様を、図面を用いてより具体的に説明する。図１は、フェンス本体１１０を脚台１２０の前後方向中央部に固定したときにおけるフェンス１００を示した斜視図である。図２は、フェンス本体１１０を脚台１２０の後端部に固定したときにおけるフェンス１００を示した斜視図である。図３は、図１のフェンス１００における脚台１２０を示した平面図である。図４は、図１のフェンス１００における脚台１２０を示した底面図である。図５は、図１のフェンス１００における脚台１２０を示した正面図である。図６は、図１のフェンス１００における脚台１２０を示した左側面図である。図７は、図１のフェンス１００における挟持部１１１の周辺を脚台１２０の前後方向に垂直な面で切断した状態を示した断面図である。図１のフェンス１００における脚台１２０の背面図と右側面図は、それぞれ図５の正面図と図６の左側面図と同様である。
【００１４】
１．フェンスの全体構成
本実施態様のフェンス１００は、図１に示すように、空間を仕切るためのフェンス本体１１０と、フェンス本体１１０を安定して立たせるための脚台１２０とを備えたものとなっており、図２に示すように、脚台１２０に対するフェンス本体１１０の固定位置を前後方向で調節できるものとなっている。
【００１５】
障害物のない場所にフェンス１００を設置する場合には、図１に示すように、フェンス本体１１０を脚台１２０における前後方向中間部に固定すると、フェンス本体１１０を安定して立たせることができるし、縦壁２００などの障害物の近くにフェンス１００を設置する場合には、図２に示すように、フェンス本体１１０を脚台１２０の前後方向端部に固定すると、フェンス本体１１０を縦壁２００の近くに配することができる。
【００１６】
２．フェンス本体
フェンス本体１１０の形態は、フェンス１００の用途などによって異なり、特に限定されない。フェンス本体１１０としては、複数本のフレームを組み合わせたものや、支柱間に剛板や可撓シートを取り付けたものなどが例示される。剛板や可撓シートは、開口部を有する網状のものであってもよい。本実施態様のフェンス１００において、フェンス本体１１０は、図１に示すように、複数本のフレームを面状に組み合わせたものを採用している。フェンス本体１１０には、「安全第一」や「立入禁止」など、注意を換気する表示を施してもよい。
【００１７】
フェンス本体１１０の寸法も、フェンス１００の用途などによって異なり、特に限定されない。本実施態様のフェンス１００において、フェンス本体１１０の高さは９０ｃｍに設定されており、フェンス本体１１０の横幅は２００ｃｍに設定されている。
【００１８】
フェンス本体１１０の両端部に設けられた一対の支柱の下端部には、図１に示すように、脚台１２０を上下方向に挟持するための挟持部１１１が設けられている。挟持部１１１は、図７に示すように、脚台１２０を上側から押さえるための上側板状部と、脚台１２０を下側から押さえるための下側板状部とを有する断面略コの字形状のものとなっている。挟持部１１１の上側板状部は、脚台１２０の上面に設けられた嵌込溝に脚台１２０の側方から嵌め込むことができるようになっている。
【００１９】
挟持部１１１の上側板状部や下側板状部は、脚台１２０に設けられた嵌合溝の複数本に跨って嵌め込まれる形態のものであってもよいが、本実施態様のフェンス１００においては、脚台１２０に設けられた嵌合溝と挟持部１１１とが１対１に対応するようになっている。
【００２０】
挟持部１１１の寸法は、脚台１２０に設ける嵌込溝の寸法などによって異なり、特に限定されない。本実施態様のフェンス１００において、上側板状部と下側板状部の前後幅はいずれも約９０ｍｍに設定され、上側板状部と下側板状部の板厚はいずれも約３ｍｍに設定されている。これに対し、上側板状部の横幅（約９５ｍｍ）は、下側板状部の横幅（約１０５ｍｍ）よりも短く設定しており、挟持部１１１を脚台１２０の嵌込溝に嵌め込みやすくしている。上側板状部の下面と下側板状部の上面の間隔は約７ｍｍに設定されている。
【００２１】
３．脚台
脚台１２０は、その形態を特に限定されないが、通常、前後方向に細長い形状のものが採用される。本実施態様のフェンス１００において、脚台１２０は、図３〜図６に示すように、前後方向に長く上下方向に扁平な板状材１２１を用いたものとなっている。脚台１２０をこのような形状とすることで、フェンス本体１１０をより安定して立たせることができる。
【００２２】
板状材１２１の寸法は、フェンス本体１１０の寸法や重量などによって異なり、特に限定されない。しかし、板状材１２１の前後長さを短く設定しすぎると、フェンス本体１１０の安定性が著しく低下するおそれがある。このため、板状材１２１の前後長さは、通常、２０ｃｍ以上に設定される。板状材１２１の前後長さは、３０ｃｍ以上であると好ましく、４０ｃｍ以上であるとより好ましい。
【００２３】
一方、板状材１２１の前後長さを長く設定しすぎると、フェンス１００が持ち運びしにくく設置しにくいものとなるおそれがある。このため、板状材１２１の前後長さは、通常、２００ｃｍ以下に設定される。板状材１２１の前後長さは、１５０ｃｍ以下であると好ましく、１００ｃｍ以下であるとより好ましい。本実施態様のフェンス１００において、板状材１２１の前後長さは、約５７ｃｍに設定されている。
【００２４】
また、本実施態様のフェンス１００において、板状材１２１の横幅は、挟持部１１１の下側板状部の横幅（１０５ｍｍ）よりも僅かに広い１１０ｍｍに設定している。このため、下側板状部が板状材１２１の側方から突出しないようになっており、安全な設計となっている。
【００２５】
さらに、板状材１２１の板厚は、挟持部１１１の上側板状部の下面と下側板状部の上面の間隔よりも小さければ特に限定されないが、できるだけ前記間隔に一致する値に設定すると好ましい。これにより、挟持部１１１を脚台１２０により強固に固定して、フェンス本体１１０の安定性をさらに高めることが可能になる。本実施態様のフェンス１００において、前記間隔に略等しい約７ｍｍに設定されている。
【００２６】
板状材１２１の上面には、図３と図６に示すように、上側突部１２２を複数箇所に設けており、挟持部１１１の上側板状部を嵌め込むための嵌込溝が前後方向に亘る複数箇所に設けられている。各嵌込溝は、脚台１２０を横断する方向に形成されている。嵌込溝は、各上側突部１２２の間に形成される。上側突部１２２の高さは、嵌込溝の深さに一致し、上側突部１２２の前後ピッチＰ（図３を参照。）は、嵌込溝の前後ピッチと一致するようになっている。
【００２７】
嵌込溝の深さ（上側突部１２２の高さ）は、フェンス本体１１０の寸法や重量などによって異なり、特に限定されない。しかし、嵌込溝を浅くしすぎると、挟持部１１１が嵌込溝から脱落しやすくなるおそれがある。一方、嵌込溝を深くしすぎても、脚台１２０の寸法が大きくなるだけで、それに見合った効果を得ることができない。このため、嵌込溝の深さは、通常、１〜１０ｍｍ以上に設定される。本実施態様のフェンス１００において、嵌込溝の深さは約３ｍｍに設定されている。
【００２８】
嵌込溝を設ける前後ピッチ（上側突部１２２を設ける前後ピッチＰ）は、フェンス１００の用途などによって異なり、特に限定されない。しかし、嵌込溝の前後ピッチを短く設定しすぎると、嵌込溝に溜まった泥などを取り除きにくくなるおそれがある。このため、嵌込溝の前後ピッチは、通常、１ｃｍ以上に設定される。嵌込溝の前後ピッチは、５ｃｍ以上であると好ましく、１０ｃｍ以上であるとより好ましい。
【００２９】
一方、嵌込溝を設ける前後ピッチ（上側突部１２２を設ける前後ピッチ）を広く設定しすぎると、脚台１２０に対するフェンス本体１１０の固定位置を大まかにしか設定することができなくなり、フェンス１００の設置個所の選択自由度が低下するおそれがある。このため、嵌込溝の前後ピッチは、通常、３０ｃｍ以下に設定される。嵌込溝の前後ピッチは、２０ｃｍ以下であると好ましく、１５ｃｍ以下であるとより好ましい。本実施態様のフェンス１００において、嵌込溝の前後ピッチは約１１ｃｍに設定されている。
【００３０】
各嵌込溝の前後幅は、挟持部１１１の前後幅よりも大きければ特に限定されないが、挟持部１１１の前後幅にできるだけ近い値に設定すると好ましい。これにより、フェンス本体１１１を脚台１２０に対して前後方向に位置ずれしにくくすることができる。本実施態様のフェンス１００において、各嵌込溝の前後幅は、挟持部１１１の前後幅に略等しい約９０ｍｍに設定している。
【００３１】
また、板状材１２１の下面には、図４と図６に示すように、下側突部１２３を複数箇所に設けており、板状材１２１がフェンス１００の設置面よりも僅かに浮くようになっている。
【００３２】
下側突部１２３の高さは、挟持部１１１の下側板状部の板厚よりも大きければ特に限定されない。しかし、下側突部１２３を低くしすぎると、挟持部１１１を脚台１２０に固定しにくくなるおそれがある。一方、下側突部１２３を高くしすぎると、脚台１２０の安定性が著しく低下するおそれがある。このため、下側突部１２３の高さは、通常、３〜１０ｍｍに設定される。本実施態様のフェンス１００において、下側突部１２３の高さは約５ｍｍに設定されている。
【００３３】
４．他の実施態様
続いて、本発明のフェンス１００の実施態様について説明する。図８は、本発明のフェンス１００の他の実施態様を示した斜視図である。図８に示すフェンス１００は、フェンス本体１１０を２枚備えており、脚台１２０に対するフェンス本体１１０の固定位置をそれぞれのフェンス本体１１０ごとに前後方向で調節することができるものとなっている。
【００３４】
図８に示すフェンス１００においては、２枚のフェンス本体１１０の上部が連結具１１２によって連結されている。このため、フェンス１００をより安定して設置することができるようになっている。このフェンス１００は、フェンス１００の前面側の空間と背面側の空間とを所定間隔を隔てて仕切ることが可能なものとなっており、防護性に優れたものとなっている。この種のフェンス１００は、要人や貴重品を見物人から隔離するためなどに用いられる防護用のフェンスとして好適に用いることができるものとなっている。
【００３５】
５．用途
本発明のフェンスは、その用途を限定されず、幅広い用途に用いることができる。特に、立入制限場所の区画や、車や人の列の整理や、テニスコートの分離などに用いる仮設用のフェンスとして好適に用いることができる。
【図面の簡単な説明】
【００３６】
【図１】フェンス本体１１０を脚台１２０の前後方向中央部に固定したときにおけるフェンス１００を示した斜視図である。
【図２】フェンス本体１１０を脚台１２０の後端部に固定したときにおけるフェンス１００を示した斜視図である。
【図３】図１のフェンス１００における脚台１２０を示した平面図である。
【図４】図１のフェンス１００における脚台１２０を示した底面図である。
【図５】図１のフェンス１００における脚台１２０を示した正面図（背面図）である。
【図６】図１のフェンス１００における脚台１２０を示した左側面図（右側面図）である。
【図７】図１のフェンス１００における挟持部１１１の周辺を脚台１２０の前後方向に垂直な面で切断した状態を示した断面図である。
【図８】本発明のフェンス１００の他の実施態様を示した斜視図である。
【符号の説明】
【００３７】
１００  フェンス
１１０  フェンス本体
１１１  挟持部
１１２  連結具
１２０  脚台
１２１  板状材
１２２  上側突部
１２３  下側突部
２００  縦壁
【図１】
2007177519.tif 000003
【図２】
2007177519.tif 000004
【図３】
2007177519.tif 000005
【図４】
2007177519.tif 000006
【図５】
2007177519.tif 000007
【図６】
2007177519.tif 000008
【図７】
2007177519.tif 000009
【図８】
2007177519.tif 000010